(57)【要約】【課題】ハロゲン灯の明るさを容易に調光できるハロゲン灯点灯装置を得る。【解決手段】ハロゲン灯点灯装置１００は、ノイズ除去装置１１０と、整流回路１２０と、インバータ回路１３０とを有する。ノイズ除去装置１１０は、アクロスコンデンサＣ１１と、ノーマルモードチョークＬ１３と、コモンモードチョークＬ１２とを有する。アクロスコンデンサＣ１１は、電圧入力端子ａと電圧入力端子ｂとの間を接続する。ノーマルモードチョークＬ１３は、電圧入力端子ａに一端を接続する。コモンモードチョークＬ１２は、互いに磁気結合した第一のインダクタと第二のインダクタとを有する。第一のインダクタは、ノーマルモードチョークＬ１２の他端と、電圧出力端子ｃとの間を接続する。第二のインダクタは、電圧入力端子ｂと、電圧出力端子ｄとの間を接続する。【選択図】図１
2008210597.tif 000002
【特許請求の範囲】
【請求項１】
ノイズ除去装置と、整流回路と、点灯回路とを備え、
上記ノイズ除去装置は、２つの電圧入力端子と、アクロスコンデンサと、コモンモードチョークと、ノーマルモードチョークと、２つの電圧出力端子とを有し、
上記２つの電圧入力端子は、位相制御された交流電圧を入力し、
上記アクロスコンデンサは、上記２つの電圧入力端子の間を接続し、
上記コモンモードチョークは、上記２つの電圧入力端子の一方に一端を接続した第一のインダクタと、上記２つの電圧入力端子の他方に一端を接続し、上記第一のインダクタと磁気結合した第二のインダクタとを有し、
上記ノーマルモードチョークは、上記第一のインダクタの他端に一端を接続した第三のインダクタを有し、
上記２つの電圧出力端子の一方は、上記第二のインダクタの他端に接続し、
上記２つの電圧出力端子の他方は、上記第三のインダクタの他端に接続し、
上記整流回路は、上記２つの電圧出力端子の間に発生した電圧を入力し、入力した電圧を整流して脈流電圧を生成し、
上記点灯回路は、上記整流回路が生成した脈流電圧を入力し、入力した脈流電圧からランプに供給する電力を生成する
ことを特徴とする点灯装置。
【請求項２】
ノイズ除去装置と、整流回路と、点灯回路とを備え、
上記ノイズ除去装置は、２つの電圧入力端子と、アクロスコンデンサと、コモンモードチョークと、ノーマルモードチョークと、２つの電圧出力端子とを有し、
上記２つの電圧入力端子は、位相制御された交流電圧を入力し、
上記アクロスコンデンサは、上記２つの電圧入力端子の間を接続し、
上記ノーマルモードチョークは、上記２つの電圧入力端子の一方に一端を接続した第三のインダクタを有し、
上記コモンモードチョークは、上記第三のインダクタの他端に一端を接続した第一のインダクタと、上記２つの電圧入力端子の他方に一端を接続し、上記第一のインダクタと磁気結合した第二のインダクタとを有し、
上記２つの電圧出力端子の一方は、上記第二のインダクタの他端に接続し、
上記２つの電圧出力端子の他方は、上記第一のインダクタの他端に接続し、
上記整流回路は、上記２つの電圧出力端子の間に発生した電圧を入力し、入力した電圧を整流して脈流電圧を生成し、
上記点灯回路は、上記整流回路が生成した脈流電圧を入力し、入力した脈流電圧からランプに供給する電力を生成する
ことを特徴とする点灯装置。
【請求項３】
上記ノイズ除去装置は、上記ノーマルモードチョークと上記コモンモードチョークとに代えて、上記ノーマルモードチョークと上記コモンモードチョークとの等価回路である複合型ラインフィルタを有する
ことを特徴とする請求項１に記載の点灯装置。
【請求項４】
上記アクロスコンデンサは、容量が０．１μＦ以上０．５μＦ以下である
ことを特徴とする請求項１乃至請求項３のいずれかに記載の点灯装置。
【請求項５】
上記ノイズ除去装置は、上記２つの電圧出力端子の間を接続するコンデンサを有さないことを特徴とする請求項１乃至請求項４のいずれかに記載の点灯装置。
【請求項６】
上記点灯回路は、上記整流回路が生成する脈流電圧を入力する端子間を接続し、容量が０．２５μＦ以下である入力段コンデンサを有する
ことを特徴とする請求項１乃至請求項５のいずれかに記載の点灯装置。
【請求項７】
請求項１乃至請求項６のいずれかに記載の点灯装置を備えることを特徴とする照明器具。
【発明の詳細な説明】
【技術分野】
【０００１】
この発明は、ハロゲン灯点灯装置などの点灯装置に関する。
【背景技術】
【０００２】
低ボルトハロゲン灯を点灯するためのハロゲン灯点灯装置として、電子トランスが知られている。電子トランスは、例えば、商用電源から入力した電圧をダイオードブリッジ等で全波整流し、脈流化された直流電圧をトランジスタ等のスイッチング素子でスイッチングして、スイッチングされた矩形波電圧を降圧トランスで概ね１２Ｖまで降圧し、ハロゲン灯に印加する構成である。
【０００３】
また、ランプの明るさを調整するための調光装置として、位相制御調光装置が知られている。位相制御調光装置は、例えば、商用電源から入力した電圧の波形を、双方向性サイリスタで切り崩すことにより、通過する電力を調整する。
【特許文献１】特開平６−３３５２３５号公報
【発明の開示】
【発明が解決しようとする課題】
【０００４】
しかし、電子トランスによるハロゲン灯点灯装置と、位相制御調光装置とを組み合わせて、ハロゲン灯の明るさを調整できるようにしようとすると、ハロゲン灯点灯装置から唸り音が発生する。
そのため、従来のハロゲン灯点灯装置に調光機能を付加しようとすると、トランジスタのスイッチング周波数を変えることにより、降圧トランスの出力電圧を変化させる構成が一般的である。
【０００５】
このような構成のハロゲン灯点灯装置は、装置の構成が複雑になるので装置が大型化する、調光用のスイッチをハロゲン灯点灯装置自体に設けるので離れた場所で調光操作することができない、段階的にしか調光できず連続的に調光することができないなどの課題がある。
【０００６】
この発明は、例えば、上記のような課題を解決するためになされたものであり、位相制御調光装置と組み合わせて使用した場合でも、唸り音を発生しないハロゲン灯点灯装置を得ることを目的とする。
【課題を解決するための手段】
【０００７】
この発明にかかる点灯装置は、
ノイズ除去装置と、整流回路と、点灯回路とを備え、
上記ノイズ除去装置は、２つの電圧入力端子と、アクロスコンデンサと、コモンモードチョークと、ノーマルモードチョークと、２つの電圧出力端子とを有し、
上記２つの電圧入力端子は、位相制御された交流電圧を入力し、
上記アクロスコンデンサは、上記２つの電圧入力端子の間を接続し、
上記コモンモードチョークは、上記２つの電圧入力端子の一方に一端を接続した第一のインダクタと、上記２つの電圧入力端子の他方に一端を接続し、上記第一のインダクタと磁気結合した第二のインダクタとを有し、
上記ノーマルモードチョークは、上記第一のインダクタの他端に一端を接続した第三のインダクタを有し、
上記２つの電圧出力端子の一方は、上記第二のインダクタの他端に接続し、
上記２つの電圧出力端子の他方は、上記第三のインダクタの他端に接続し、
上記整流回路は、上記２つの電圧出力端子の間に発生した電圧を入力し、入力した電圧を整流して脈流電圧を生成し、
上記点灯回路は、上記整流回路が生成した脈流電圧を入力し、入力した脈流電圧からランプに供給する電力を生成することを特徴とする。
【発明の効果】
【０００８】
この発明にかかる点灯装置によれば、位相制御した交流電圧を入力した場合でも、耳障りな唸り音を発生せず、また、点灯回路が発生する高周波ノイズを効果的に遮断することができるという効果を奏する。
【発明を実施するための最良の形態】
【０００９】
実施の形態１．
実施の形態１を、図１〜図４を用いて説明する。
【００１０】
図１は、この実施の形態におけるハロゲン灯点灯装置１００の回路構成を示す電気回路図である。
ハロゲン灯点灯装置１００（点灯装置）は、商用電源ＡＣ（例えば、１００Ｖ、５０Ｈｚまたは６０Ｈｚ）などから交流電圧を入力し、入力した交流電圧から高周波電圧（例えば、１２Ｖ、２０〜５０ｋＨｚ）を生成して、ハロゲン灯ＬＡ（ランプ）に印加し、ハロゲン灯ＬＡを点灯する。
【００１１】
ハロゲン灯点灯装置１００は、ノイズ除去装置１１０、整流回路１２０、インバータ回路１３０を有する。
【００１２】
ノイズ除去装置１１０は、商用電源ＡＣからの電源ラインを通して高周波ノイズがハロゲン灯点灯装置１００の内部に入るのを防ぐとともに、ハロゲン灯点灯装置１００が発生した高周波ノイズが電源ラインを通して外部に出るのを防ぐ。
ノイズ除去装置１１０の詳細については、後述する。
【００１３】
整流回路１２０は、ノイズ除去装置１１０が出力した交流電圧を入力し、入力した交流電圧を整流して、脈流電圧を生成する。
整流回路１２０は、例えば、ダイオードブリッジＤＢ１を有し、入力した交流電圧を全波整流して、脈流電圧を生成する。
【００１４】
インバータ回路１３０（点灯回路）は、整流回路１２０が生成した脈流電圧を入力し、入力した脈流電圧から、ハロゲン灯ＬＡを点灯するための高周波交流電圧を生成する。
インバータ回路１３０は、例えば、自励式インバータ回路である。図１に示したインバータ回路１３０は、公知の回路なので、ここでは説明を省略する。インバータ回路１３０は、他の構成であってもよい。
【００１５】
ハロゲン灯点灯装置１００は、商用電源ＡＣなどからの交流電圧を直接入力してもよいが、ハロゲン灯ＬＡの明るさを調整することを目的として、商用電源ＡＣとハロゲン灯点灯装置１００との間に位相制御調光装置２００を挿入し、位相制御調光装置２００により位相制御された交流電圧を入力してもよい。
【００１６】
位相制御調光装置２００は、例えば、双方向性ダイオードなどを用いて、商用電源ＡＣなどから入力した正弦波交流電圧の波形の一部を切り欠いて、位相制御された交流電圧を生成する。切り欠く位相を調整することにより、伝達する電力を調整し、ハロゲン灯ＬＡの明るさを調整する。
【００１７】
ノイズ除去装置１１０は、アクロスコンデンサＣ１１、ノーマルモードチョークＬ１３、コモンモードチョークＬ１２を有する。
ノイズ除去装置１１０は、２つの入力端子（電圧入力端子ａ及び電圧入力端子ｂ）と、２つの出力端子（電圧出力端子ｃ及び電圧出力端子ｄ）を有する。電圧入力端子ａと、電圧入力端子ｂとの電位差が、ハロゲン灯点灯装置１００が入力する交流電圧である。
【００１８】
アクロスコンデンサＣ１１（「アクロスザラインコンデンサ」ともいう）は、電圧入力端子ａと電圧入力端子ｂとの間を接続する。アクロスコンデンサＣ１１は、０．１μＦ〜０．４７μＦ程度の容量を有するコンデンサである。
【００１９】
ノーマルモードチョークＬ１３（「ノーマルモードチョークコイル」ともいう）は、一端を電圧入力端子ａに接続し、他端をコモンモードチョークＬ１２に接続する。ノーマルモードチョークＬ１３は、５０μＨ〜５００μＨ程度のインダクタンスを有するコイル（第三のインダクタ）である。
【００２０】
コモンモードチョークＬ１２（「コモンモードチョークコイル」ともいう）は、互いに磁気結合した２つのコイル（第一のインダクタ及び第二のインダクタ）を有する。２つのコイルは、それぞれ３ｍＨ〜１５ｍＨ程度のインダクタンスを有し、ほぼ１に近い結合係数を有する。
第一のインダクタは、一端をノーマルモードチョークＬ１３に接続し、他端を電圧出力端子ｃに接続する。第二のインダクタは、一端を電圧入力端子ｂに接続し、他端を電圧出力端子ｄに接続する。
コモンモードチョークＬ１２は、第一のインダクタと第二のインダクタとの間の相互誘導により、同相電流に対しては大きなインダクタンスとして働くが、逆相電流に対しては小さなインダクタンスとして働くため、コモンモードノイズを除去する作用を有する。
【００２１】
ノイズ除去装置１１０は、電圧出力端子ｃと電圧出力端子ｄとの間に発生する電位差を、ノイズの除去された交流電圧として出力する。
【００２２】
次に、動作について説明する。
【００２３】
図２は、この実施の形態におけるハロゲン灯点灯装置１００の各部の電流を示す波形図である。
ハロゲン灯点灯装置１００は、商用電源ＡＣが出力した交流電圧（この例では５０Ｈｚ）を、位相制御調光装置２００が位相制御した電圧を入力する。
ハロゲン灯点灯装置１００は、商用電源ＡＣが出力した交流電圧（この例では５０Ｈｚ）を、位相制御調光装置２００が位相制御した電圧ｖｉｎを入力する。
このため、ハロゲン灯点灯装置１００が入力する交流電圧ｖｉｎは、波形の一部が切り欠かれている。
電流ｉｉｎは、ハロゲン灯点灯装置１００が入力する電流（電圧入力端子ａから流入する電流＝電圧入力端子ｂから流出する電流）である。
電流ｉＬ１２は、コモンモードチョークＬ１２の第一のインダクタを流れる電流である。なお、第二のインダクタを流れる電流も、第一のインダクタを流れる電流と等しい。
電流ｉＣ１１は、アクロスコンデンサＣ１１を流れる電流である。
なお、それぞれの電流について、２つの波形を示しているが、下側の波形は、時間軸を拡大して、時刻ｔ１付近を示したものである。
【００２４】
位相制御調光装置２００は、商用電源ＡＣなどから入力した正弦波交流電圧ｖＡＣが０クロスした時刻から所定の時間が経過するまでは、０Ｖを出力する。所定の時間経過後、入力した電圧ｖＡＣとほぼ同電圧を出力する。０Ｖを出力する時間を調整することにより、位相制御調光装置２００を通過する電力を調整し、ハロゲン灯ＬＡの明るさを調整する。
したがって、位相制御調光装置２００が出力する電圧ｖｉｎには、例えば時刻ｔ１において、急激な立ち上がりがある。商用電源ＡＣの周波数が５０Ｈｚの場合、電圧ｖｉｎの急激な立ち上がり及び立ち下がりは、１秒間に５０回ずつ、合計１００回発生する。
【００２５】
アクロスコンデンサＣ１１は、電圧入力端子ａと電圧入力端子ｂとを接続しているので、アクロスコンデンサＣ１１の両端電圧は、電圧ｖｉｎの変化に追随して変化する。電圧ｖｉｎの急激な立ち上がり及び立ち下がり時には、アクロスコンデンサＣ１１を急速に充電あるいは放電するため、大きな電流（数Ａ〜数十Ａ）が流れる。
【００２６】
ハロゲン灯点灯装置１００が入力する電流ｉｉｎは、アクロスコンデンサＣ１１を流れる電流ｉＣ１１と、コモンモードチョークＬ１２を流れる電流ｉＬ１２との和である。コモンモードチョークＬ１２を流れる電流ｉＬ１２は、整流回路１２０が入力する電流と等しい。インバータ回路１３０の力率はほぼ１なので、電流ｉＬ１２は、電圧ｖｉｎにほぼ比例する。
電流ｉｉｎには、電圧ｖＡＣの急激な立ち上がり及び立ち下がり時に、パルス状の部分が存在するが、これは上述したように、アクロスコンデンサＣ１１と整流回路１２０の後段にあるコンデンサＣ３３及びＣ３４とを充電あるいは放電する電流である。
【００２７】
インバータ回路１３０は、トランジスタＱ３７とトランジスタＱ３９とを交互にスイッチングすることにより、高周波交流電圧を生成する。このため、スイッチングに伴う高周波ノイズが発生し、整流回路１２０を介して、ノイズ除去装置１１０の出力側に到達する。
インバータ回路１３０が発生するノイズはノーマルモードノイズなので、コモンモードチョークＬ１２は小さなインダクタンスとして働くが、ノーマルモードチョークＬ１３の存在により、インバータ回路１３０側から見たノイズ除去装置１１０のインピーダンスが大きい。したがって、ノイズ電流はノイズ除去装置１１０により遮断され、位相制御調光装置２００や商用電源ＡＣに出ていくことがない。
【００２８】
次に、この実施の形態におけるハロゲン灯点灯装置１００の効果を説明するため、対比例について説明する。
【００２９】
図３は、第一の対比例におけるハロゲン灯点灯装置１００の回路構成を示す電気回路図である。
この対比例におけるハロゲン灯点灯装置１００は、この実施の形態におけるハロゲン灯点灯装置１００と比較して、ノイズ除去装置１１０の構成が異なり、他の部分の構成は同一である。
【００３０】
この対比例におけるノイズ除去装置１１０は、この実施の形態におけるノイズ除去装置１１０と比較して、ノーマルモードチョークＬ１３がない点が異なる。
【００３１】
図４は、この対比例におけるハロゲン灯点灯装置１００の各部の電流を示す波形図である。
ノイズ除去装置１１０が入力する電圧ｖｉｎの周波数成分のうち、高周波成分はアクロスコンデンサＣ１１により短絡されるので、後段の回路には伝達されない。ノーマルモードチョークＬ１３は低周波に対するインピーダンスが小さいので、ノイズ除去装置１１０を入力側から見た場合の特性は、ノーマルモードチョークＬ１３がなくても、あまり変わらない。
【００３２】
しかし、インバータ回路１３０が発生した高周波ノイズは、ノイズ除去装置１１０の出力側に到達し、ノーマルモードチョークＬ１３がないので、ノイズ除去装置１１０により遮断されず、ノイズ除去装置１１０の入力側に漏れ出す。
【００３３】
このため、電流ｉｉｎは、インバータ回路１３０の動作周波数と等しい周波数の高周波成分を含み、位相制御調光装置２００や同一の商用電源ＡＣに接続した他の装置に悪影響を及ぼす。
【００３４】
このように、ノーマルモードチョークＬ１３は、インバータ回路１３０が発生した高周波ノイズを遮断して、他の装置に悪影響を与えるのを防ぐ効果を有する。
【００３５】
図５は、第二の対比例におけるハロゲン灯点灯装置１００の回路構成を示す電気回路図である。
この対比例におけるハロゲン灯点灯装置１００は、この実施の形態におけるハロゲン灯点灯装置１００と比較して、ノイズ除去装置１１０の構成が異なり、他の部分の構成は同一である。
【００３６】
この対比例におけるノイズ除去装置１１０は、この実施の形態におけるノイズ除去装置１１０と比較して、以下の２つの点が異なる。
一つは、第一の対比例と同様、ノーマルモードチョークＬ１３がない点である。もう一つは、アクロスコンデンサＣ１１がコモンモードチョークの入力側ではなく、出力側に接続している点である。
【００３７】
図６は、この対比例におけるハロゲン灯点灯装置１００の各部の電流を示す波形図である。
インバータ回路１３０が発生した高周波ノイズは、ノイズ除去装置１１０の出力側に到達するが、アクロスコンデンサＣ１１により短絡されるので、ノイズ除去装置１１０の入力側には漏れ出さない。したがって、ノイズ除去装置１１０は、ノーマルモードチョークＬ１３がなくても、インバータ回路１３０が発生した高周波ノイズを遮断できる。
【００３８】
ハロゲン灯点灯装置１００が入力する電圧ｖｉｎの急激な立ち上がり及び立ち下がり時において、アクロスコンデンサＣ１１及びコンデンサＣ３３，Ｃ３４を充電あるいは放電するための電流が流れる。
この対比例において、ノイズ除去装置１１０が入力する電流ｉｉｎとコモンモードチョークＬ１２を流れる電流ｉＬ１２とは等しい。すなわち、アクロスコンデンサＣ１１及びコンデンサＣ３３，Ｃ３４を充電あるいは放電するための電流は、コモンモードチョークＬ１２を通ることになる。
【００３９】
コモンモードチョークＬ１２に電流が流れると、巻線の間に反発力が生じる。アクロスコンデンサＣ１１及びコンデンサＣ３３，Ｃ３４を充電あるいは放電するための大電流が流れるたびに、巻線間に強い反発力が働くので、巻線が振動する。この現象は、ワニス含浸などにより巻線が固定されていない場合に特に顕著に現れる。アクロスコンデンサＣ１１及びコンデンサＣ３３，Ｃ３４を充電あるいは放電するための大電流は、電源周波数が５０Ｈｚなら１秒間に１００回、６０Ｈｚなら１２０回流れるので、巻線の振動により、１００Ｈｚあるいは１２０Ｈｚの唸り音を生じる。
【００４０】
このように、第二の対比例におけるハロゲン灯点灯装置１００は、インバータ回路１３０が発生した高周波ノイズは外部に漏れないが、コモンモードチョークＬ１２から唸り音を生じてしまう。
【００４１】
これに対して、この実施の形態におけるハロゲン灯点灯装置１００は、アクロスコンデンサＣ１１を充電あるいは放電するための大電流が、コモンモードチョークＬ１２を流れなくなり、コンデンサＣ３３及びＣ３４を充電あるいは放電するための電流のみがコモンモードチョークＬ１２を流れるので、唸り音が低減する。
【００４２】
この実施の形態における点灯装置（ハロゲン灯点灯装置１００）は、
ノイズ除去装置１１０と、整流回路１２０と、点灯回路（インバータ回路１３０）とを備えることを特徴とする。
ノイズ除去装置１１０は、２つの電圧入力端子ａ及びｂと、アクロスコンデンサＣ１１と、コモンモードチョークＬ１２と、ノーマルモードチョークＬ１３と、２つの電圧出力端子ｃ及びｄとを有することを特徴とする。
２つの電圧入力端子ａ及びｂは、位相制御された交流電圧ｖｉｎを入力することを特徴とする。
アクロスコンデンサＣ１１は、２つの電圧入力端子ａ及びｂの間を接続することを特徴とする。
ノーマルモードチョークＬ１３は、電圧入力端子ａに一端を接続した第三のインダクタを有することを特徴とする。
コモンモードチョークＬ１２は、第三のインダクタの他端に一端を接続した第一のインダクタと、電圧入力端子ｂに一端を接続し、第一のインダクタと磁気結合した第二のインダクタとを有することを特徴とする。
電圧出力端子ｄは、第二のインダクタの他端に接続することを特徴とする。
電圧出力端子ｃは、第一のインダクタの他端に接続することを特徴とする。
整流回路１２０は、２つの電圧出力端子ｃ及びｄの間に発生した電圧を入力し、入力した電圧を整流して脈流電圧を生成し、
点灯回路（インバータ回路１３０）は、整流回路１２０が生成した脈流電圧を入力し、入力した脈流電圧からランプ（ハロゲン灯ＬＡ）に供給する電力を生成することを特徴とする。
【００４３】
この実施の形態における点灯装置（ハロゲン灯点灯装置１００）によれば、位相制御による急激な立ち上がりあるいは立ち下がりが交流電圧ｖｉｎにある場合でも、耳障りな唸り音が低減し、また、インバータ回路１３０から発生する高周波ノイズを効果的に遮断することができるという効果を奏する。
【００４４】
この実施の形態におけるノイズ除去装置１１０は、２つの電圧出力端子ｃ及びｄの間を接続するコンデンサを有さないことを特徴とする。
【００４５】
この実施の形態における点灯装置（ハロゲン灯点灯装置１００）によれば、アクロスコンデンサＣ１１を充電あるいは放電するために流れる電流が、コモンモードチョークＬ１２を流れないので、コモンモードチョークＬ１２が発生する唸り音が低減するという効果を奏する。
【００４６】
この実施の形態における点灯装置（ハロゲン灯点灯装置１００）によれば、インバータ回路１３０から発生する高周波ノイズをノイズ除去装置１１０が遮断するので、外部に悪影響を及ぼすことがなく、また、位相制御された交流電圧を入力しても、唸り音をあまり発生しないので、簡単に、ハロゲン灯ＬＡの明るさを調整することができるという効果を奏する。
【００４７】
実施の形態２．
実施の形態２について、図７〜図８を用いて説明する。
【００４８】
図７は、この実施の形態におけるハロゲン灯点灯装置１００の回路構成を示す電気回路図である。
なお、実施の形態１で説明したハロゲン灯点灯装置１００の構成と共通する部分については、同一の符号を付し、ここでは説明を省略する。
この実施の形態におけるハロゲン灯点灯装置１００は、実施の形態１で説明したハロゲン灯点灯装置１００と比較して、ノイズ除去装置１１０の構成が異なり、他の部分の構成は同一である。
【００４９】
ノイズ除去装置１１０は、アクロスコンデンサＣ１１、コモンモードチョークＬ１２、ノーマルモードチョークＬ１３を有する。
アクロスコンデンサＣ１１は、電圧入力端子ａと電圧入力端子ｂとの間を接続する。
コモンモードチョークＬ１２を構成する２つのインダクタのうち、第一のインダクタは、一端を電圧入力端子ａに接続し、他端をノーマルモードチョークＬ１３に接続する。第二のインダクタは、一端を電圧入力端子ｂに接続し、他端を電圧出力端子ｄに接続する。
ノーマルモードチョークＬ１３は、一端をコモンモードチョークＬ１２の第一のインダクタに接続し、他端を電圧出力端子ｃに接続する。
【００５０】
このように、コモンモードチョークＬ１２とノーマルモードチョークＬ１３との順番を入れ替えても、実施の形態１におけるノイズ除去装置１１０と同一の機能を有するノイズ除去装置１１０を構成することができる。
【００５１】
図８は、実施の形態１で説明したノイズ除去装置１１０と同一の機能を有するノイズ除去装置１１０ａ〜１１０ｅの回路構成を示す電気回路図である。
【００５２】
ノイズ除去装置１１０ａは、ノーマルモードチョークＬ１３を接地側のラインに挿入し、ノーマルモードチョークＬ１３が、電圧入力端子ｂとコモンモードチョークＬ１２の第二のインダクタとの間を接続する構成である。
【００５３】
ノイズ除去装置１１０ｂは、ノイズ除去装置１１０ａのノーマルモードチョークＬ１３とコモンモードチョークＬ１２との順番を入れ替え、ノーマルモードチョークＬ１３が、コモンモードチョークＬ１２の第二のインダクタと電圧出力端子ｄとの間を接続する構成である。
【００５４】
ノイズ除去装置１１０ｃは、ノーマルモードチョークＬ１３を、電圧入力端子ａとコモンモードチョークＬ１２の第一のインダクタとの間を接続する第三のインダクタと、電圧入力端子ｂとコモンモードチョークＬ１２の第二のインダクタとの間を接続する第四のインダクタとの２つのインダクタとした構成である。
【００５５】
ノイズ除去装置１１０ｄは、ノイズ除去装置１１０ｃのノーマルモードチョークＬ１３とコモンモードチョークＬ１２との順番を入れ替え、ノーマルモードチョークＬ１３が、コモンモードチョークＬ１２の第一のインダクタと電圧出力端子ｃとの間を接続する第三のインダクタと、コモンモードチョークＬ１２の第二のインダクタと電圧出力端子ｄとの間を接続する第四のインダクタとからなる構成である。
【００５６】
ノイズ除去装置１１０ｅは、コモンモードチョークＬ１２及びノーマルモードチョークＬ１３の代わりに、コモンモードチョークとノーマルモードチョークの両方の機能を併せ持つハイブリッドチョークＬ１４（複合型ラインフィルタ）を用いた構成である。ハイブリッドチョークＬ１４は、例えば、コモンモードチョークの第一のインダクタと第二のインダクタとの磁気結合の結合係数をわざと小さくすることにより、逆相電流に対してもインダクタンスとして働くようにし、ノーマルモードチョークとしての機能を兼ね備える。
【００５７】
いずれの構成のノイズ除去装置１１０ａ〜１１０ｅを用いても、実施の形態１で説明したノイズ除去装置１１０と同様の効果を得ることができる。
これらのバリエーションに共通するのは、アクロスコンデンサＣ１１が商用電源ＡＣや位相制御調光装置２００に接続する入力側にあり、整流回路１２０やインバータ回路１３０に接続する出力側には、電圧出力端子ｃと電圧出力端子ｄとを結ぶコンデンサが存在しない点である。
【００５８】
この実施の形態における点灯装置（ハロゲン灯点灯装置１００）は、
ノイズ除去装置１１０と、整流回路１２０と、点灯回路（インバータ回路１３０）とを備えることを特徴とする。
ノイズ除去装置１１０は、２つの電圧入力端子ａ及びｂと、アクロスコンデンサＣ１１と、コモンモードチョークＬ１２と、ノーマルモードチョークＬ１３と、２つの電圧出力端子ｃ及びｄとを有することを特徴とする。
２つの電圧入力端子ａ及びｂは、位相制御された交流電圧ｖｉｎを入力することを特徴とする。
アクロスコンデンサＣ１１は、２つの電圧入力端子ａ及びｂの間を接続することを特徴とする。
コモンモードチョークＬ１２は、電圧入力端子ａに一端を接続した第一のインダクタと、電圧入力端子ｂに一端を接続し、第一のインダクタと磁気結合した第二のインダクタとを有することを特徴とする。
ノーマルモードチョークＬ１３は、第一のインダクタの他端に一端を接続した第三のインダクタを有することを特徴とする。
電圧出力端子ｄは、第二のインダクタの他端に接続することを特徴とする。
電圧出力端子ｃは、第三のインダクタの他端に接続することを特徴とする。
整流回路１２０は、２つの電圧出力端子ｃの間に発生した電圧を入力し、入力した電圧を整流して脈流電圧を生成することを特徴とする。
点灯回路（インバータ回路１３０）は、整流回路１２０が生成した脈流電圧を入力し、入力した脈流電圧からランプ（ハロゲン灯ＬＡ）に供給する電力を生成することを特徴とする。
【００５９】
この実施の形態におけるノイズ除去装置１１０によれば、位相制御による急激な立ち上がりあるいは立ち下がりが交流電圧ｖｉｎにある場合でも、耳障りな唸り音が低減し、また、インバータ回路１３０から発生する高周波ノイズを効果的に遮断することができるという効果を奏する。
【００６０】
この実施の形態におけるノイズ除去装置１１０は、２つの電圧出力端子ｃ及びｄの間を接続するコンデンサを有さないことを特徴とする。
【００６１】
この実施の形態における点灯装置（ハロゲン灯点灯装置１００）によれば、アクロスコンデンサＣ１１を充電あるいは放電するために流れる電流が、コモンモードチョークＬ１２を流れないので、コモンモードチョークＬ１２が発生する唸り音が低減するという効果を奏する。
【００６２】
この実施の形態におけるハロゲン灯点灯装置１００は、
ノーマルモードチョークＬ１３とコモンモードチョークＬ１２とに代えて、ノーマルモードチョークＬ１３とコモンモードチョークＬ１２との等価回路である復号型ラインフィルタ（ハイブリッドチョークＬ１４）を有することを特徴とする。
【００６３】
この実施の形態におけるハロゲン灯点灯装置１００によれば、部品点数を減らせるので、装置の小型化・軽量化、製造コストの削減ができるという効果を奏する。
【００６４】
実施の形態３．
実施の形態３について、図９を用いて説明する。
この実施の形態におけるハロゲン灯点灯装置１００の回路構成は、実施の形態１または実施の形態２で説明した回路と同様なので、ここでは説明を省略する。
【００６５】
この実施の形態では、実験結果をもとに、アクロスコンデンサＣ１１の容量の好ましい値について説明する。
【００６６】
図９は、この実施の形態におけるハロゲン灯点灯装置１００におけるアクロスコンデンサＣ１１の容量と、雑音端子電圧及び力率との関係についての実験結果を示すグラフ図である。
雑音端子電圧とは、ハロゲン灯点灯装置１００の入力端子間に発生するノイズの電圧値のことで、１μＶを０ｄＢとする。
器具の電源端子に発生する雑音端子電圧は、電気用品の技術上の基準を定める省令により、５６ｄＢでなければならないことが定められている（５ＭＨｚ以下の連続性雑音端子電圧の場合）。
力率とは、ハロゲン灯点灯装置１００が入力する皮相電力に対する有効電力の比率であり、０．９５以上であることが好ましい。
【００６７】
実験結果より、アクロスコンデンサＣ１１の容量を増やせば、雑音端子電圧を減らすことができるが、その代わり、力率が悪くなることがわかる。
アクロスコンデンサＣ１１の容量が０．１μＦ以上０．５μＦ以下の範囲内である場合、上記の両条件を満たし、望ましいハロゲン灯点灯装置１００を得ることができる。
アクロスコンデンサＣ１１の容量が０．１μＦ未満の場合、雑音端子電圧が急激に悪化する。
また、アクロスコンデンサＣ１１の容量が０．５μＦ超の場合、力率が急激に悪化する。
【００６８】
このように、アクロスコンデンサＣ１１の容量を０．１μＦ以上０．５μＦ以下とすることにより、雑音端子電圧が低く、かつ、力率のよいハロゲン灯点灯装置を得ることができる。
【００６９】
この実施の形態における点灯装置（ハロゲン灯点灯装置１００）は、
アクロスコンデンサＣ１１の容量が０．１μＦ以上０．５μＦ以下であることを特徴とする。
この実施の形態における点灯装置（ハロゲン灯点灯装置１００）によれば、雑音端子電圧が５６ｄＢ以下で、かつ、力率が０．９５以上であるという２つの好ましい特性を兼ね備えることができるという効果を奏する。
【００７０】
実施の形態４．
実施の形態４について、図１０を用いて説明する。
この実施の形態におけるハロゲン灯点灯装置１００の回路構成は、実施の形態１または実施の形態２で説明した回路と同様なので、ここでは説明を省略する。
【００７１】
この実施の形態では、実験結果をもとに、インバータ回路１３０の入力段コンデンサの容量について説明する。
【００７２】
実施の形態１で述べたように、ノイズ除去装置１１０は、出力側（電圧出力端子ｃと電圧出力端子ｄとの間）を接続するコンデンサを有していない。
しかし、一般的なインバータ回路１３０は、入力電圧をコンデンサで分圧する構成となっている。
入力電圧を分圧するコンデンサＣ３３及びＣ３４は、ノイズ除去装置１１０の出力側を直接接続してはいないが、整流回路１２０のダイオードブリッジＤＢ１を介して、ノイズ除去装置１１０の出力側を接続するので、このようなコンデンサはないほうが望ましい。
【００７３】
図１０は、この実施の形態におけるハロゲン灯点灯装置１００のインバータ回路１３０の入力段コンデンサの容量（Ｃ３３及びＣ３４の容量の合成値）と、ハロゲン灯点灯装置１００が発生する唸り音の騒音レベルとの間の関係についての実験結果を示すグラフ図である。
騒音レベルは、音に敏感な人でも騒音と感じないレベルである３０ｄＢＡ未満であることが好ましい。
【００７４】
実験結果より、インバータ回路１３０の入力段コンデンサの容量が小さいほど、騒音レベルが低くなることがわかる。
インバータ回路１３０の入力段コンデンサの容量が０．２５μＦ以下である場合、騒音レベルを３０ｄＢＡ未満とすることができる。
また、インバータ回路１３０の入力段コンデンサの容量が０．２５μＦ超になると、騒音レベルの上昇率が高くなる。
【００７５】
このように、インバータ回路１３０の入力段コンデンサの容量を０．２５μＦ以下とすることにより、ハロゲン灯点灯装置１００が発生する唸り音の騒音レベルを低くすることができる。
【００７６】
この実施の形態における点灯回路（インバータ回路１３０）は、
整流回路１２０が生成する脈流電圧を入力する端子間を接続し、容量が０．２５μＦ以下である入力段コンデンサ（Ｃ３３・Ｃ３４）を有することを特徴とする。
この実施の形態における点灯装置（ハロゲン灯点灯装置１００）によれば、発生する唸り音の騒音レベルが３０ｄＢＡ未満であり、音に敏感な人でも気にならないレベルとすることができるという効果を奏する。
【００７７】
照明器具が、以上各実施の形態で説明した点灯装置（ハロゲン灯点灯装置１００）を備えることにより、各実施の形態で説明した点灯装置と同様の効果を奏する。
【図面の簡単な説明】
【００７８】
【図１】実施の形態１におけるハロゲン灯点灯装置１００の回路構成を示す電気回路図。
【図２】実施の形態１におけるハロゲン灯点灯装置１００の各部の電圧・電流を示す波形図。
【図３】第一の対比例におけるハロゲン灯点灯装置１００の回路構成を示す電気回路図。
【図４】第一の対比例におけるハロゲン灯点灯装置１００の各部の電流を示す波形図。
【図５】第二の対比例におけるハロゲン灯点灯装置１００の回路構成を示す電気回路図。
【図６】第二の対比例におけるハロゲン灯点灯装置１００の各部の電流を示す波形図。
【図７】実施の形態２におけるハロゲン灯点灯装置１００の回路構成を示す電気回路図。
【図８】実施の形態１で説明したノイズ除去装置１１０と同一の機能を有するノイズ除去装置１１０ａ〜１１０ｅの回路構成を示す電気回路図。
【図９】実施の形態３におけるハロゲン灯点灯装置１００におけるアクロスコンデンサＣ１１の容量と、雑音端子電圧及び力率との関係についての実験結果を示すグラフ図。
【図１０】実施の形態４におけるハロゲン灯点灯装置１００のインバータ回路１３０の入力段コンデンサの容量（Ｃ３３及びＣ３４の容量の合成値）と、ハロゲン灯点灯装置１００が発生する唸り音の騒音レベルとの間の関係についての実験結果を示すグラフ図。
【符号の説明】
【００７９】
１００  ハロゲン灯点灯装置、１１０  ノイズ除去装置、１２０  整流回路、１３０  インバータ回路、２００  位相制御調光装置、ＡＣ  商用電源、Ｃ１１  アクロスコンデンサ、Ｃ３２，Ｃ３３，Ｃ３４  コンデンサ、ＤＢ１  ダイオードブリッジ、Ｌ１２  コモンモードチョーク、Ｌ１３  ノーマルモードチョーク、ＬＡ  ハロゲン灯、Ｑ３７，Ｑ３９  トランジスタ、Ｒ３１，Ｒ３６，Ｒ３８  抵抗器、Ｔ３５  電流トランス、Ｔ４０  降圧トランス、ＴＤ１  トリガダイオード。
【図１】
2008210597.tif 000003
【図２】
2008210597.tif 000004
【図３】
2008210597.tif 000005
【図４】
2008210597.tif 000006
【図５】
2008210597.tif 000007
【図６】
2008210597.tif 000008
【図７】
2008210597.tif 000009
【図８】
2008210597.tif 000010
【図９】
2008210597.tif 000011
【図１０】
2008210597.tif 000012